(57)【特許請求の範囲】
【請求項１】
室内熱交換器を有する室内機と、室外熱交換器を有する室外機とを備え、少なくとも暖房運転、冷房運転、ドライ運転、空気清浄運転および暖房運転時の除霜運転モードを備えた空気調和装置において、前記室内機に、三色ＬＥＤを所定の組合せで点灯させることにより複数色の表示が可能な表示手段と、暖房運転は赤色、冷房運転は緑色、ドライ運転はアンバー色、空気清浄運転は水色といったように、視覚により運転モードをイメージ的に把握できるように、各運転モードに対応した互いに異なる色を前記表示手段に表示させる表示制御手段とを備え、暖房運転時の除霜運転は前記赤色と該赤色以外の暖色系の色とを交互に点灯し、赤色の表示時間を、赤色以外の暖色系の色の表示時間よりも長く設定したことを特徴とする空気調和装置。
【請求項２】
冷房運転時の自動強制ドライ運転を備え、該自動強制ドライ運転は冷房運転に対応した緑色とドライ運転に対応したアンバー色とを交互に点灯したことを特徴とする請求項１に記載の空気調和装置。
【発明の詳細な説明】
【０００１】
【発明の属する技術分野】
本発明は、運転モードを表示する空気調和装置に関する。
【０００２】
【従来の技術】
一般に、室内熱交換器を有する室内機と、室外熱交換器を有する室外機とを備え、空気調和運転、例えば、暖房運転、冷房運転、ドライ運転、ランドリー運転、又は空気清浄運転等が可能な空気調和装置が知られている。
【０００３】
室内機には、赤色ＬＥＤと緑色ＬＥＤとを有する表示部が設けられており、赤色ＬＥＤの点灯による赤色、緑色ＬＥＤの点灯による緑色、赤色ＬＥＤと緑色ＬＥＤとの点灯によるアンバー色の三種類の色が表示可能であり、空気調和運転の運転モードがこの三種類の色で表現される。そして、四種類以上の運転モードがあるとき、例えば、暖房運転、冷房運転、ドライ運転、ランドリー運転、空気清浄運転の運転モードがあるとき、例えば、暖房運転は赤色、冷房運転及び空気清浄運転は緑色、ドライ運転及びランドリー運転はアンバー色のように、一つの色で複数の運転モードが表現される場合がある。
【０００４】
また、暖房運転時に室外機の除霜をすべく自動的に除霜運転が行われる空気調和装置が知られている。
【０００５】
【発明が解決しようとする課題】
しかしながら、従来の構成では、一つの色で複数の運転モードが表現される場合があるため、視覚的に運転モードの区別が付かない場合があるという問題があった。また、除霜運転中に、除霜運転中であることが分かるように表現していなかった。
【０００６】
本発明の目的は、上述の事情を考慮してなされたものであり、運転モードを明確に把握でき、また、除霜運転中であることを把握することができる空気調和装置を提供することにある。
【０００７】
【課題を解決するための手段】
請求項１に記載の発明は、室内熱交換器を有する室内機と、室外熱交換器を有する室外機とを備え、少なくとも暖房運転、冷房運転、ドライ運転、空気清浄運転および暖房運転時の除霜運転モードを備えた空気調和装置において、前記室内機に、三色ＬＥＤを所定の組合せで点灯させることにより複数色の表示が可能な表示手段と、暖房運転は赤色、冷房運転は緑色、ドライ運転はアンバー色、空気清浄運転は水色といったように、視覚により運転モードをイメージ的に把握できるように、各運転モードに対応した互いに異なる色を前記表示手段に表示させる表示制御手段とを備え、暖房運転時の除霜運転は前記赤色と該赤色以外の暖色系の色とを交互に点灯し、赤色の表示時間を、赤色以外の暖色系の色の表示時間よりも長く設定したことを特徴とするものである。
【０００８】
請求項２に記載の発明は、請求項１に記載の発明において、冷房運転時の自動強制ドライ運転を備え、該自動強制ドライ運転は冷房運転に対応した緑色とドライ運転に対応したアンバー色とを交互に点灯したことを特徴とするものである。
【００１３】
【発明の実施の形態】
以下、本発明の一実施形態を添付の図面を参照して説明する。
【００１４】
図１は、本発明に係る空気調和装置の一実施の形態を示す室内機及び室外機を示す斜視図である。また、図２は、室内機の断面図である。
【００１５】
空気調和装置１は、図１に示すように、室外機２、室内機３及びリモートコントローラ４を有してなり、室内機３が設置された室内を空気調和する。
【００１６】
上記室外機２は、図示しない圧縮機、室外熱交換器及びプロペラファン等が設けられている。また、上記室内機３は、図２に示すように、室内の空気を加熱／冷却／除湿する室内熱交換器５と、室内の空気を室内機３の吸気口６から吸い込み、室内熱交換器５で加熱／冷却／除湿して再び室内に循環させる送風ファン７と、この送風ファン７により吸引される室内の空気の比較的大きな塵を除塵するエアフィルタ８と、エアフィルタ８を通過した室内の空気の比較的細かい塵を更に除塵する空気清浄フィルタ９とが設けられている。
【００１７】
圧縮機、室外熱交換器及び室内熱交換器５等が冷媒配管（不図示）にて連結されて、冷凍サイクルが構成される。
【００１８】
図１中の符号１４は、上記冷媒配管、電気配線及びドレンホース等をまとめて表示した配管・配線類１４である。
【００１９】
上記リモートコントローラ４には、空気調和運転の運転モード等を選択する図示しない押しボタンスイッチが設けられており、この押しボタンスイッチが押されたとき、リモートコントローラ４の送信部１５から指令信号Ｐが送信される。この指令信号Ｐを室内機３の受信部１６で受信したとき、本空気調和装置１は、上記指令信号Ｐに対応して暖房運転、ドライ運転、冷房運転、ランドリー運転又は空気清浄運転等の空気調和運転の動作を実施する。
【００２０】
図２中の室内熱交換器５は、３つの熱交換部５Ａ、５Ｂ、５Ｃに分割されている。熱交換部５Ａ、５Ｂの下方にはドレンパン１０Ａが設けられ、熱交換部５Ｃの下方にはドレンパン１０Ｂが設けられている。ドレンパン１０Ａの下方には空気吹出口１１が形成されている。そして、この空気吹出口１１には、この空気吹出口１１から吹き出される空気の風向きを上下に変更するためのフラップ１７Ａと、左右に変更するためのフラップ１７Ｂとが設置されている。
【００２１】
暖房運転のときは、すべての熱交換部５Ａ、５Ｂ、５Ｃを凝縮器として機能させて加熱した空気を室内に送風させ、冷房運転のときは、すべての熱交換部５Ａ、５Ｂ、５Ｃを蒸発器として機能させて冷却した空気を室内に送風させる。
【００２２】
また、ドライ運転のときは、２つの熱交換部５Ａ、５Ｂを蒸発器として機能させながら、残りの熱交換部５Ｃを再熱器として機能させ、冷却して除湿した空気を再加熱して室内に送風させる。
【００２３】
空気清浄運転は、エアフィルタ８及び空気清浄フィルタ９により除塵された空気が室内に送風される送風運転である。ランドリー運転は、暖房運転とドライ運転とを切り替えて除湿を行う運転である。除霜運転は、暖房運転時に室外機２の除霜を行う運転である。
【００２４】
本空気調和装置１には、室外温度及び室内温度に基づいて自動的に運転モード（暖房運転、ドライ運転又は冷房運転）が選択される自動運転モードの機能が有り、例えばリモートコントローラ４の自動運転モードを選択する図示しない押しボタンスイッチが押されたとき、自動運転モードに切り替わる。
【００２５】
自動運転モードで冷房運転を行っているときに、湿度が高ければ強制的にドライ運転する自動強制ドライ運転が行われる。この自動強制ドライ運転は、所定時間行った後に冷房運転に戻る。
【００２６】
室内機３の前面には、図１に示すように、空気調和運転の運転モードを表示する表示手段としての表示部１２が設けられている。表示部１２には、少なくとも三色の光源が設けられている。これら光源は各々近接して配置されている。従って、これら光源を所定の組合せで点灯させることにより複数色の表示が可能である。
【００２７】
以下、三色の光源が設けられている場合について説明する。図３に表示部１２の詳細図の一例を示す。例えば、三色の光源が青色、赤色、緑色の光源からなる三原色の光源であるとする。これら光源を所定の組合せで選択的に点灯させることにより七色の表示が可能である。この三原色の光源が青色ＬＥＤ２１Ａと、赤色ＬＥＤ２１Ｂと、緑色ＬＥＤ２１Ｃとからなる三原色の三色ＬＥＤ２１であるものとする。この三色ＬＥＤ２１は、三色のＬＥＤ２１Ａ、２１Ｂ、２１Ｃが一つのエレメントとしてパッケージ化されている。この場合、各ＬＥＤ２１Ａ、２１Ｂ、２１Ｃを所定の組合せで選択的に点灯させることにより七色の表示が可能である。具体的には、青色、赤色、緑色の基本色に加え、中間色、即ち、青色ＬＥＤ２１Ａと赤色ＬＥＤ２１Ｂとの点灯で紫色、青色ＬＥＤ２１Ａと緑色ＬＥＤ２１Ｃとの点灯で水色、赤色ＬＥＤ２１Ｂと緑色ＬＥＤ２１Ｃとの点灯でアンバー色、三色のＬＥＤ２１Ａ、２１Ｂ、２１Ｃの点灯で白色の表示が可能である。したがって、三原色の光源とすることで色の表示が多彩になる。また、三色ＬＥＤ２１を使用した場合は、例えば、青色、赤色、緑色の電球を近接して配置した場合と比べて小型であるので、省スペース化が図れる。また、互いに異なる発光色の複数の電球を室内機３に並べて配設し、運転モードに対応させて各電球を発光させる場合と比べて、三色ＬＥＤ２１を使用した場合は、一つの三色ＬＥＤ２１で複数色を表示することができるので、省スペース化が図れる。
【００２８】
室内機３には表示制御手段としての制御装置１９が設置されており、この制御装置１９は、運転モードに対応した互いに異なる若しくは同一の形態で、互いに異なる若しくは同一の色を表示部１２に表示させる制御を行う。
【００２９】
ここで、例えば、空気調和運転において運転モードＡ、運転モードＢ、・・・があり、表示部１２に表示される色が、色Ｘ、色Ｙ、色Ｚ、・・・であるものとする。
【００３０】
運転モードに対応した互いに異なる形態で、互いに異なる色を表示部１２に表示させる制御とは、例えば、運転モードＡでは色Ｘを表示させ、運転モードＢでは色Ｙと色Ｚとを交互に表示させる場合である。また、例えば、運転モードＡでは色Ｘを表示させ、運転モードＢでは色Ｘと色Ｙとを交互に表示させる場合である。
【００３１】
運転モードに対応した互いに異なる形態で、互いに同一の色を表示部１２に表示させる制御とは、例えば、運転モードＡでは色Ｘを表示させ、運転モードＢでは色Ｘを点滅させて表示させる場合である。
【００３２】
運転モードに対応した互いに同一の形態で、互いに異なる色を表示部１２に表示させる制御とは、例えば、運転モードＡでは色Ｘを表示させ、運転モードＢでは色Ｙを表示させる場合である。
【００３３】
運転モードに対応した互いに同一の形態で、互いに同一の色を表示部１２に表示させる制御とは、例えば、運転モードＡでは色Ｘを表示させ、運転モードＢでも色Ｘを表示させる場合である。
【００３４】
即ち、運転モードに対応した互いに異なる形態で、互いに異なる色を表示部１２に表示させる制御、運転モードに対応した互いに異なる形態で、互いに同一の色を表示部１２に表示させる制御、又は運転モードに対応した互いに同一の形態で、互いに異なる色を表示部１２に表示させる制御によれば、表示部１２による表示で、運転モードを互いに区別することができる。
【００３５】
逆に、運転モードに対応した互いに同一の形態で、互いに同一の色を表示部１２に表示させる制御によれば、表示部１２による表示で、運転モードを互いに区別することができない。
【００３６】
尚、運転モードに対応した互いに異なる形態で、互いに異なる色を表示部１２に表示させる制御、運転モードに対応した互いに異なる形態で、互いに同一の色を表示部１２に表示させる制御、又は運転モードに対応した互いに同一の形態で、互いに異なる色を表示部１２に表示させる制御は、上記の例に限定するものではなく、表示部１２による表示が、運転モードを互いに区別することができる表示であればよい。また、運転モードに対応した互いに同一の形態で、互いに同一の色を表示部１２に表示させる制御も、上記の例に限定するものではない。
【００３７】
以下、運転モードに対応した互いに異なる形態で、互いに異なる色を表示部１２に表示させる制御、運転モードに対応した互いに異なる形態で、互いに同一の色を表示部１２に表示させる制御、及び運転モードに対応した互いに同一の形態で、互いに異なる色を表示部１２に表示させる制御は、運転モードの表示を区別させる制御という。また、運転モードに対応した互いに同一の形態で、互いに同一の色を表示部１２に表示させる制御は、運転モードの表示を区別させない制御という。
【００３８】
運転モードの表示を区別させる制御として、運転モードに対応した互いに異なる色を表示部１２に表示させる制御がある。
【００３９】
運転モードには、例えば、暖房運転、冷房運転、ランドリー運転、ドライ運転、空気清浄運転等があり、例えば、暖房運転は赤色、冷房運転は緑色、ドライ運転はアンバー色、ランドリー運転は紫色、空気清浄運転は水色といったように、運転モードに対応した互いに異なる色が表示部１２に表示される。各運転モードに対応した色は、運転モードに対応してイメージ的に把握できる色で点灯されればより好ましい。
【００４０】
上記の運転モードの他に、暖房運転時の除霜運転の運転モードがある。除霜運転が行われる場合、室内機３に除霜運転中であることが表示される（除霜表示手段）。具体的には、上述の運転モードの表示を区別させる制御が制御装置１９により行われる。この運転モードの表示を区別させる制御として、第一の色と、この第一の色とは異なる第二の色とを交互に表示部１２に表示させる制御が行われる。第一の色及び第二の色は、暖色系の色である。例えば、第一の色は暖房運転に対応した色であり、第二の色は第一の色とは異なる特定の色である。例えば、第一の色は暖房運転に対応した色である赤色であり、第二の色は第一の色とは異なる色であるアンバー色である。この交互に点灯される色は、暖色系であればより好ましい。また、この暖房運転に対応した色である第一の色の表示時間は、第二の色よりも長く設定される。例えば、第一の色は４秒間、第二の色は０．５秒間に設定される。これらによって、暖房運転時に除霜運転が行われることが視覚によりイメージ的に把握できる。
【００４１】
自動強制ドライ運転は、自動運転モードで冷房運転時に行われる運転モードである。自動強制ドライ運転が行われる場合、室内機３に自動強制ドライ運転であることが表示される（自動強制ドライ表示手段）。具体的には、上述の運転モードの表示を区別させる制御が制御装置１９により行われる。この運転モードの表示を区別させる制御として、第三の色と、この第三の色とは異なる第四の色とを交互に表示部１２に表示させる制御が行われる。例えば、第三の色は冷房運転に対応した色であり、第四の色はドライ運転に対応した色である。例えば、第三の色は冷房運転に対応した色である緑色であり、第四の色はドライ運転に対応したアンバー色である。従って、冷房運転時に自動強制ドライ運転が行われていることが視覚によりイメージ的に把握できる。
【００４２】
尚、運転モードの表示を区別させる制御が制御装置１９により行われる場合について説明したが、運転モードの表示を区別させない制御が制御装置１９により行われる場合があってもよい。例えば、自動強制ドライ運転は冷房運転時に行われるので、自動強制ドライ運転時は、運転モードの表示を区別させない制御として、冷房運転に対応した色（例えば緑色）と同一色で表示部１２に表示させてもよい。
【００４３】
本実施の形態によれば、少なくとも三色の光源（例えば、三原色の三色ＬＥＤ２１）を有するとともに、これら光源を所定の組合せで点灯させることにより複数色の表示が可能な表示部１２が室内機３に設けられ、空気調和運転中に運転モードに対応した互いに異なる若しくは同一の形態で、互いに異なる若しくは同一の色が表示部１２に表示されることから、運転モードを明確に把握することができる。
【００４４】
また、本実施の形態によれば、空気調和運転中に運転モードに対応した互いに異なる色が表示部１２に表示されることから、運転モードを明確に把握することができる。
【００４５】
また、本実施の形態によれば、空気調和運転中に運転モードに対応してイメージ的に把握できる色が表示部１２に表示されることから、運転モードを明確にイメージ的に把握することができる。
【００４６】
また、本実施の形態によれば、暖房運転時に除霜運転が行われる場合、室内機３に除霜運転中であることが表示されるので、暖房運転時に除霜運転が行われることが明確に把握できる。
【００４７】
また、本実施の形態によれば、暖房運転時に除霜運転が行われる場合、第一の色と、この第一の色とは異なる第二の色とを交互に表示部１２に表示させる制御が制御装置１９により行われるので、暖房運転時に除霜運転が行われることが把握できる。また、第一の色及び第二の色は暖色系であるので、暖房運転時に除霜運転が行われることがイメージ的に把握できる。
【００４８】
また、本実施の形態によれば、第一の色の表示時間は、第二の色よりも長く設定されることから、暖房運転時に除霜運転が行われることがイメージ的に把握できる。
【００４９】
また、本実施の形態によれば、冷房運転時に自動強制ドライ運転が行われる場合、室内機３に自動強制ドライ運転中であることが表示されるので、冷房運転時に自動強制ドライ運転が行われることが明確に把握できる。
【００５０】
また、本実施の形態によれば、冷房運転時に自動強制ドライ運転が行われる場合、第三の色と、この第三の色とは異なる第四の色とを交互に表示部１２に表示させる制御が行われ、第三の色は冷房運転に対応した色であり、第四の色はドライ運転に対応した色であることから、冷房運転時に自動強制ドライ運転が行われることがイメージ的に把握できる。
【００５１】
また、本実施の形態によれば、三色の光源として、青色、赤色、緑色の三原色の光源を使用したことから、基本色に加え、多彩な中間色の表示が可能となる。これによって、より明確に運転モードを把握することができる。
【００５２】
また、本実施の形態によれば、三原色の光源として三色ＬＥＤ２１を使用したことから、一つの三色ＬＥＤ２１で複数色を表示することが可能であるので、省スペース化が図れる。
【００５３】
尚、上記の実施の形態では、少なくとも三色の光源として、青色ＬＥＤ２１Ａと、赤色ＬＥＤ２１Ｂと、緑色ＬＥＤ２１Ｃとからなる三原色の三色ＬＥＤ２１であるものとし、各ＬＥＤ２１Ａ、２１Ｂ、２１Ｃを所定の組合せで選択的に点灯させることにより七色の表示が可能である場合を説明したが、これに限るものではない。例えば、少なくとも三色の光源として、青色、赤色、緑色の光源からなる三原色の光源であるものとする。そして、これら光源を所定の組合せで点灯させて複数色の表示をする手段として、これら光源を所定の組合せで輝度を調整して選択的に点灯させれば、七色以上の表示が可能である。この輝度の調整は、制御装置１９によって行われる。この三原色の光源は、例えば、三色ＬＥＤ２１である。
【００５４】
また、上記の実施の形態では、暖房運転時に除霜運転が行われるとき、室内機３に除霜運転中であることが表示される場合として、例えば、第一の色と、この第一の色とは異なる第二の色とが交互に表示部１２に表示される場合について説明したが、これに限るものではなく、例えば「除霜運転中」の文字を表示する図示しない文字表示部を室内機３に設け、暖房運転時に除霜運転が行われるとき、文字表示部に「除霜運転中」が表示される場合であってもよいし、暖房運転に対応した色が表示部１２に表示されると共に、文字表示部に「除霜運転中」が表示される場合であってもよい。また、他の運転モードとは異なる色が表示部１２に表示される場合であってもよい。
【００５５】
また、上記の実施の形態では、三原色の光源として三色ＬＥＤ２１の場合について説明したが、これに限るものではなく、三原色の光源として、例えば青色、赤色、緑色の三つの電球等を室内機３の内部に設け、光ファイバ等で表示部１２まで光を導く場合であってもよく、この場合においても中間色を表現することは可能である。
【００５６】
また、上記の実施の形態では、冷房運転時に自動強制ドライ運転が行われる場合、第三の色と、この第三の色とは異なる第四の色とが交互に表示部１２に表示される場合について説明したが、これに限るものではなく、他の運転モードとは異なる色が表示部１２に表示される場合であってもよい。
【００５７】
以上、一実施形態に基づいて本発明を説明したが、本発明は、これに限定されるものでないことは明らかである。
【００５８】
【発明の効果】
以上のように、本発明に係る空気調和装置によれば、運転モードを明確に把握でき、また、除霜運転中であることを把握することができる。
【図面の簡単な説明】
【図１】本発明による空気調和装置の一例を示す斜視図である。
【図２】空気調和装置の室内機の一例を示す断面図である。
【図３】空気調和装置の表示部の一例を示す詳細図である。
【符号の説明】
１  空気調和装置
２  室外機
３  室内機
５  室内熱交換器
１２  除霜表示手段であるとともに表示手段である表示部
１９  表示制御手段である制御装置
２１  三色ＬＥＤ
【図１】
0004155732.tif 000002
【図２】
0004155732.tif 000003
【図３】
0004155732.tif 000004